(57)【要約】【課題】カードリーダーのスイッチ機能を変更しても、容易にその変更作業を行うことのできるカードリーダーを提供する。【解決手段】電気錠により施解錠される扉の外側の壁面に設置される本体部１０を有し、本体部１０は、カード媒体に記録された情報を読み取るカード読取部２０を正面に有するカードリーダー１であって、本体部１０は、カード読取部２０を有する前部ケース体１１を有し、前部ケース体１１は、厚み方向において、本体部１０の内面側の非透光層部３０と、本体部１０の外面側の透光層部３１とを有し、本体部１０の内部にはライトガイド５２が配置され、前部ケース体１１は、少なくともライトガイド５２と対向する領域が透光層部３１のみからなる透過部３７であり、前部ケース体１１の表面には、ライトガイド５２と対向する領域が透光性を有する表面透過部５４ｄを有する表示シート５４が取付けられている【選択図】図３
2018147022.tif 000002
【特許請求の範囲】
【請求項１】
電気錠により施解錠される扉の外側の壁面に設置される本体部を有し、該本体部は、カード媒体に記録された情報を読み取るカード読取部を正面に有するカードリーダーであって、
前記本体部は、前記カード読取部を有する前部ケース体を有し、該前部ケース体は、厚み方向において、前記本体部の内面側の非透光層部と、前記本体部の外面側の透光層部とを有し、
前記本体部の内部にはライトガイドが配置され、
前記前部ケース体は、少なくとも前記ライトガイドと対向する領域が前記透光層部のみからなる透過部であり、
前記前部ケース体の表面には、前記ライトガイドと対向する領域が透光性を有する表面透過部を有する表示シートが取付けられていることを特徴とするカードリーダー。
【請求項２】
前記ライトガイドは、前記カード読取部を囲むように前記本体部の外周に沿って配置され、
前記透過部は、前記ライトガイドと対向する領域及び当該領域より内周側の領域に渡って設けられることを特徴とする請求項１に記載のカードリーダー。
【請求項３】
前記本体部は、背面側の後部ケース体を有し、該後部ケース体と前記前部ケース体とが一体化されていることを特徴とする請求項１または２に記載のカードリーダー。
【請求項４】
前記表示シートは、テンキー表示の有無が異なる複数種類から１つが選択されて前記前部ケース体に取付けられていることを特徴とする請求項１〜３のいずれか１項に記載のカードリーダー。
【請求項５】
前記表示シートは、前記前部ケース体の表面に対し接着固定されていることを特徴とする請求項１〜４のいずれか１項に記載のカードリーダー。
【発明の詳細な説明】
【技術分野】
【０００１】
本発明は、カード媒体の情報を読取って電気錠を解錠させる入退出管理システムに設けられるカードリーダーに関する。
【背景技術】
【０００２】
オフィスビル等において、カードリーダー及び電気錠を用いた入退室管理システムが設置されている。入退室管理システムは、例えば、複数の会議室がフロアに並設されている場合に、各会議室の入退室管理を行うために設置される。この場合、会議室の入口毎にカードリーダーが設置され、カードリーダーは、建物の階毎に設置されるローカル制御盤に接続される。また、カードリーダーは、会議室の扉に設けられる電気錠に接続される。ローカル制御盤は、伝送路を介して警備室などに設置されたセンター装置や総務部等の管理部門に設置されたクライアント装置に接続される。
【０００３】
会議室に出入りするユーザーは、利用者識別情報を登録した例えば非接触ＩＣカードを携帯しており、カードリーダーに非接触ＩＣカードをかざすことで、利用者識別情報を読取ってローカル制御盤に送り、ローカル制御盤で事前登録している利用者識別情報との照合一致が得られた場合に電気錠を解錠し、扉を開いて出入りできるようにしている。
【０００４】
カードリーダーには、扉の施錠、解錠状態や、非接触ＩＣカードの読み取り状況などを表すため、ＬＥＤ等が発光する表示部を有している。本願出願人は、特許文献１に示すように、カード読取部の周囲を囲むように表示部を配置したカードリーダーを開発した。カード読取部の周囲を囲むように表示部が配置されていることで、視認性に優れたカードリーダーとすることができる。
【先行技術文献】
【特許文献】
【０００５】
【特許文献１】特願２０１６−４０６７９号明細書
【発明の概要】
【発明が解決しようとする課題】
【０００６】
特許文献１のカードリーダーは、内カバーと外枠カバーの間には、アンテナコイルを有する回路基板と、表示部の形状を有するライトガイドと、静電容量スイッチシートと、透明パネルとを納めている。カードリーダーの正面には、テンキーやスイッチシンボルなどが表示された透明パネルが露出する。
【０００７】
カードリーダーは、警戒モードと警戒解除モードを切り替えるためのスイッチを静電容量スイッチとして有し、また、必要に応じてテンキースイッチの機能を静電容量スイッチに持たせることもある。カードリーダーの設置時にはテンキースイッチの機能が不要であっても、設置後にその機能を必要とする場合もある。この場合、カードリーダーを取り替えることも考えられるが、静電容量スイッチシートを有するカードリーダーは、設定の書き換えによりテンキースイッチの機能を追加することができる。
【０００８】
カードリーダーの正面に露出する透明パネルについて、テンキースイッチの機能を追加した場合には、その表示を有する透明パネルに交換する必要がある。特許文献１のカードリーダーの構造では、透明パネルを交換するには外枠カバーを内カバーから取り外す必要があり、作業に手間を要する。
【０００９】
本発明は前記課題を鑑みてなされたものであり、カードリーダーのスイッチ機能を変更しても、容易にその変更作業を行うことのできるカードリーダーを提供することを目的とする。
【課題を解決するための手段】
【００１０】
前記課題を解決するため、請求項１の発明に係るカードリーダーは、電気錠により施解錠される扉の外側の壁面に設置される本体部を有し、該本体部は、カード媒体に記録された情報を読み取るカード読取部を正面に有するカードリーダーであって、
前記本体部は、前記カード読取部を有する前部ケース体を有し、該前部ケース体は、厚み方向において、前記本体部の内面側の非透光層部と、前記本体部の外面側の透光層部とを有し、
前記本体部の内部にはライトガイドが配置され、
前記前部ケース体は、少なくとも前記ライトガイドと対向する領域が前記透光層部のみからなる透過部であり、
前記前部ケース体の表面には、前記ライトガイドと対向する領域が透光性を有する表面透過部を有する表示シートが取付けられていることを特徴として構成されている。
【００１１】
請求項１に係る発明によれば、前部ケース体が非透光層部と透光層部の二層構造であり、ライトガイドと対向する領域は透光層部のみの透過部となっているので、ライトガイドによる発光表示を妨げずに、前部ケース体の前面側にライトガイドと対向する領域に透過部を有する表示シートを設けることができる。このため、静電容量スイッチシートによるスイッチの機能を変更した場合などに、前部ケース体の外面側から表示シートを交換することができ、本体部を分解する必要がない。
【００１２】
また、請求項２の発明に係るカードリーダーは、前記ライトガイドは、前記カード読取部を囲むように前記本体部の外周に沿って配置され、前記透過部は、前記ライトガイドと対向する領域及び当該領域より内周側の領域に渡って設けられることを特徴として構成されている。
【００１３】
請求項２に係る発明によれば、前部ケース体のライトガイドと対向する領域の内側の領域も透過部となっているため、組立作業者が表示シートを取付ける際に、本体部内に静電容量スイッチシートなど所定の部品が設けられているか、及び部品の種類を目視で確認できる。このため、表示シートと本体部内部の部品とが対応しているか否かを一見で確認でき、組立上の誤りを防止することができる。また、ライトガイドの側方は非透過層部で形成されることになるため、外側に光が反射することなく、ＬＥＤからの光をライトガイドに集光することが可能となる。  
【００１４】
また、請求項３の発明に係るカードリーダーは、前記本体部は、背面側の後部ケース体を有し、該後部ケース体と前記前部ケース体とが一体化されていることを特徴として構成されている。
【００１５】
請求項３に係る発明によれば、後部ケース体は壁面に埋設されるので、露出する前部ケース体のみ、表面を二層構造とすることで、意匠性の向上を図ることができる。
【００１６】
さらに、請求項４の発明に係るカードリーダーは、前記表示シートは、テンキー表示の有無が異なる複数種類から１つが選択されて前記前部ケース体に取付けられていることを特徴として構成されている。
【００１７】
請求項４に係る発明によれば、表示シートの交換によりスイッチ機能の変更を容易に行うことができる。
【００１８】
さらにまた、請求項５の発明に係るカードリーダーは、前記表示シートは、前記前部ケース体の表面に対し接着固定されていることを特徴として構成されている。
【００１９】
請求項５に係る発明によれば、表示シートを前部ケース体に対し容易に脱着することができる。
【発明の効果】
【００２０】
本発明に係るカードリーダーによれば、カードリーダーのスイッチ機能を変更しても、容易にその変更作業を行うことができる。また、前部ケース体が非透光層部と透光層部の二層構造であることにより、正面側に露出する前部ケース体を立体的に見せることができ、意匠性を向上させることができる。
【図面の簡単な説明】
【００２１】
【図１】本実施形態のカードリーダーの正面側から見た斜視図である。
【図２】カードリーダーの正面図である。
【図３】カードリーダーの分解斜視図である。
【図４】前部ケース体の背面図である。
【図５】後部ケース体の正面図である。
【図６】後部ケース体の背面図である。
【図７】前部ケース体と後部ケース体とを一体化した状態の縦断面図である。
【図８】前部ケース体と後部ケース体とを一体化した状態の横断面図である。
【図９】図４のＡ−Ａ断面のうち、中心線より左側の断面図である。
【図１０】カードリーダーを含む入退室管理システムの構成図である。
【図１１】別の形態の表示シートの正面図である。
【発明を実施するための形態】
【００２２】
本発明の実施形態について、図面に沿って詳細に説明する。図１には本実施形態のカードリーダー１の正面側から見た斜視図を、図２にはカードリーダー１の正面図を、図３にはカードリーダー１の分解斜視図を、それぞれ示している。本実施形態のカードリーダー１は、ケース状の本体部１０を有している。本体部１０は、ユーザーが携帯するカード媒体の情報を読み取るカード読取部２０を正面に有している。
【００２３】
本体部１０は、正面側の前部ケース体１１と、背面側の後部ケース体１２とが一体化され、前部ケース体１１の正面に表示シート５４が設けられて形成されている。後部ケース体１２は建物の壁面に対して取付けられる。前部ケース体１１は、カード媒体をかざす部分であるカード読取部２０と、その周囲を囲むように設けられる透光性を有する正面表示部２２とを、正面に有している。カードリーダー１が建物の壁面に取付けられると、本体部１０のうち前部ケース体１１が露出し、後部ケース体１２は壁面内に埋設される。
【００２４】
カード読取部２０の周囲には、上下にそれぞれ略コ字状の正面表示部２２が設けられている。表示シート５４は、正面表示部２２の形状の透光性を有する領域を有し、本体部１０の内部には、その領域に対向するように配置されるライトガイド５２と、ライトガイド５２に対して投光するＬＥＤとが設けられる。正面表示部２２は、電気錠の施錠状態や、カード媒体の読み取り状態などを、色や点灯・点滅状態によって表示する。
【００２５】
前部ケース体１１の上部両側には、側部表示部２１が設けられている。側部表示部２１は、それぞれに対応したＬＥＤを有しており、発光による表示をカードリーダー１の正面方向や側面方向から視認することができる。側部表示部２１のＬＥＤは、３原色のＬＥＤを有しており、その組み合わせによっていかなる色も発生することができる。側部表示部２１は、警戒モード、警戒解除モードといったカードリーダー１の状態表示や警報などを、色や点灯・点滅状態によって表示する。
【００２６】
図３に示すように、後部ケース体１２は、基板等を納められるように前面側に開口した箱状部１２ａと、箱状部１２ａの開口から外方に広がるように形成された取付面部１２ｂとを有している。前部ケース体１１は、カード読取部２０を有する前面部１１ａと、その縁部から四周に渡って背面側に伸びる側面部１１ｂとを有している。前面部１１ａには、表示シート５４を納める凹部１１ｃが形成されている。
【００２７】
前部ケース体１１の背面側には、回路基板５０とライトガイド５２及び静電容量スイッチシート５３が固定される。回路基板５０は、ＲＦ基板５０ａとＣＰＵ基板５０ｂとが、スペーサーにより２段の積層状態となっている。ＲＦ基板５０ａには、アンテナコイル５０ｃが配置され、アンテナコイル５０ｃと基板に実装した読取回路によりカード媒体の情報を読み取ることができる。ＲＦ基板５０ａには、本体部１０の側部表示部２１からの表示を行うための発光体であるＬＥＤと、ライトガイド５２に投光するＬＥＤとが配置される。また、ＣＰＵ基板５０ｂには、タンパスイッチを構成するホールＩＣが配置される。
【００２８】
ライトガイド５２は、上下に分離していてそれぞれが略コ字状の形状を有している。ライトガイド５２は、前部ケース体１１の正面表示部２２に対応した形状を有し、正面表示部２２と対向するように配置される。ライトガイド５２には、ＲＦ基板５０ａ上に配置されるＬＥＤからの光が入射され、その光を全体に拡散させつつ、正面側に出射させる。このため、ＬＥＤからの光は、正面表示部２２の全体から満遍なく照射される。正面表示部２２は、電気錠の施錠状態や、カード媒体の読み取り状態などを、色や点灯・点滅状態によって表示する。
【００２９】
静電容量スイッチシート５３には、破線で示す静電容量スイッチが配置されている。静電容量スイッチは、警戒設定スイッチ５３ａと、警戒解除スイッチ５３ｂと、テンキースイッチ５３ｃのいずれかである。これらの静電容量スイッチは、相対する前部ケース体１１のカード読取部２０の部位に指先を触れることで、直接接触しなくても静電容量が変化し、これを電気的に検出してスイッチ信号とする。
【００３０】
前部ケース体１１の凹部１１ｃには、薄いシート状の表示シート５４が接着固定される。表示シート５４には、静電容量スイッチシート５３の警戒設定スイッチ５３ａと対応する位置に警戒設定スイッチシンボル５４ａが、静電容量スイッチシート５３の警戒解除スイッチ５３ｂと対応する位置に警戒解除スイッチシンボル５４ｂが、それぞれ表示されている。表示シート５４の中央部には、カード読取シンボル５４ｃが表示されている。また、表示シート５４は、前部ケース体１１に取付けられることで正面表示部２２となる表面透過部５４ｄを有している。表面透過部５４ｄは、ライトガイド５２と対向するように形成されている。
【００３１】
前部ケース体１１と後部ケース体１２は、後部ケース体１２に対して下方から挿通されている固定ネジ１３によって固定される。その固定構造について以下説明する。
【００３２】
図４には、前部ケース体１１の背面図を示している。この図に示すように、前部ケース体１１の背面側には、上辺に引っ掛け部３２が形成されている。引っ掛け部３２は、後部ケース体１２の上辺に対して引っ掛けることのできる突起状に形成されている。前部ケース体１１の両側辺中央部には、それぞれ内側に向かって突出する係合爪部３３が形成されている。係合爪部３３は、後部ケース体１２に対して係合することができる。
【００３３】
前部ケース体１１の下部には、固定ネジ１３を挿通、固着することのできる底面凹部３４が形成されている。底面凹部３４は、前部ケース体１１の下面から凹状であり、固定ネジ１３の頭部１３ａを収容して外部に露出しないようにすることができる。底面凹部３４の底部は、固定ネジ１３の頭部１３ａが固着される固定面３４ａであり、固定面３４ａには、後部ケース体１２の取付けられた状態の固定ネジ１３を挿通させるためのネジ挿通部３４ｂがさらに形成されている。
【００３４】
図５には後部ケース体１２の正面図を、図６には後部ケース体１２の背面図を、それぞれ示している。図５に示すように、後部ケース体１２の下部には、固定ネジ１３を保持するネジ保持部４３が形成されている。ネジ保持部４３は、固定ネジ１３のネジ部分を螺合できるように内面にネジ山が形成されている。ネジ保持部４３の上部は空間が形成されており、固定ネジ１３の先端部はこの空間内に配置される。固定ネジ１３の先端部は、挿通後に圧潰されて、ネジ保持部４３よりも大径状の大径部１３ｂとなっている。このため、固定ネジ１３は後部ケース体１２から脱落しない。
【００３５】
図６に示すように、後部ケース体１２の背面側には、前部ケース体１１の引っ掛け部３２を引っ掛けることのできる引っ掛け凹部４１が上辺に形成されている。また、後部ケース体１２の両側辺には、前部ケース体１１の係合爪部３３を係合させることのできる係合凹部４２が形成されている。
【００３６】
図７には、前部ケース体１１と後部ケース体１２とを一体化した状態の縦断面図を示している。この図に示すように、前部ケース体１１の引っ掛け部３２は、後部ケース体１２の引っ掛け凹部４１に対して上方から引っ掛けられて係合している。また、固定ネジ１３は、頭部１３ａが前部ケース体１１の固定面３４ａに圧接し、前部ケース体１１と後部ケース体１２とを固定している。
【００３７】
前部ケース体１１の引っ掛け部３２は、厚みを有する断面形状を有している。前部ケース体１１と後部ケース体１２とを一体化する際には、引っ掛け部３２に大きな力がかかるが、引っ掛け部３２が厚みを有していることにより、破損しないようにすることができる。  
【００３８】
また、引っ掛け部３２は、根元側は同じ厚みを有する断面長方形状で、先端側は次第に厚みが小さくなる断面台形状となっている。このため、引っ掛け部３２は、先端部に傾斜面３２ａを有している。後部ケース体１２の引っ掛け凹部４１は、引っ掛け部３２の傾斜面３２ａが当接する面が傾斜状の固定面４１ａとなっている。引っ掛け部３２の傾斜面３２ａと引っ掛け凹部４１の固定面４１ａは、同じ角度である。  
【００３９】
図８には、前部ケース体１１と後部ケース体１２とを一体化した状態の横断面図を示している。この図に示すように、前部ケース体１１の係合爪部３３は、後部ケース体１２の係合凹部４２に対して外方から係合されている。
【００４０】
壁面に取付けられた後部ケース体１２に対して前部ケース体１１を取付ける際には、まず、前部ケース体１１を、下側を手前に引いた傾斜状態にして、前部ケース体１１の引っ掛け部３２を後部ケース体１２の引っ掛け凹部４１に対して、前方斜め上方から引っ掛ける。その上で、前部ケース体１１を回転させて両者を係合させる。前述のように、引っ掛け部３２の傾斜面３２ａと引っ掛け凹部４１の固定面４１ａが同じ角度であるので、前部ケース体１１を後部ケース体１２に回転係合させる際に、所定の角度で停止し、取付が容易となっている。前部ケース体１１の回転係合と同時に、前部ケース体１１の両側の係合爪部３３を後部ケース体１２の係合凹部４２に対してそれぞれ係合させる。このとき、後部ケース体１２に設けられている固定ネジ１３は、前部ケース体１１の底面凹部３４に形成されたネジ挿通部３４ｂに挿通される。これにより、前部ケース体１１は後部ケース体１２に対して仮止めされた状態となり、前部ケース体１１が落下しないようにすることができる。その上で、固定ネジ１３を締めることにより、前部ケース体１１と後部ケース体１２とを強固に固定することができる。
【００４１】
前部ケース体１１を後部ケース体１２から取り外すために、固定ネジ１３を緩めた場合に、固定ネジ１３の先端部は圧潰されて大径部１３ｂとなっているので、固定ネジ１３が後部ケース体１２から落下しないようにすることができる。
【００４２】
このように、前部ケース体１１が引っ掛け部３２と係合爪部３３を有し、これらによって、後部ケース体１２に対するネジ止めの前に仮止めができるので、前部ケース体１１を後部ケース体１２に対して固定する際に、位置ずれや落下を防止することができる。特に、回路基板５０や静電容量スイッチシート５３などは、前部ケース体１１に取付けられているので、前部ケース体１１側の重量が大きいことから、前部ケース体１１を後部ケース体１２に仮止めできることにより、両者を一体化する作業の容易性を向上させることができる。
【００４３】
また、前部ケース体１１の係合爪部３３と後部ケース体１２の係合凹部４２との係止状態は、前部ケース体１１が後部ケース体１２に対して若干動くことができるように緩くなっている。これにより、前部ケース体１１を後部ケース体１２から取り外す場合に、前部ケース体１１の底部等に工具を差し込むことができ、前部ケース体１１の取り外し作業を容易にすることができる。  
【００４４】
前部ケース体１１の二層構造について説明する。図９には、図４のＡ−Ａ断面のうち、中心線より左側の断面図を示している。この図に示すように、前部ケース体１１は、側部から正面縁部にかけて内面側に設けられる非透光層部３０と、側部及び正面の全体の外面を構成する透光層部３１とを有している。非透光層部３０は、有色の樹脂材であって光を透過させない。一方、透光層部３１は、透明な樹脂材であって光を透過させる。前部ケース体１１は、二色成形によって形成される。
【００４５】
前部ケース体１１は、ライトガイド５２と対向する領域及びそれよりも内周側の領域は、透光層部３１のみで形成されており、この部分はライトガイド５２からの光を透過させる透過部３７となっている。前部ケース体１１のうち、透過部３７以外の部分は、非透光層部３０があるためにライトガイド５２からの光を透過させない。
【００４６】
このように、前部ケース体１１が非透光層部３０と透光層部３１の二層構造であり、ライトガイド５２と対向する領域は透光層部３１のみの透過部３７となっていることにより、前部ケース体１１の前面側に表示シート５４を設けることができる。表示シート５４は、前述のように、ライトガイド５２と対向する領域が、光を透過させる表面透過部５４ｄとなっており、ライトガイド５２の形状に合わせて光を正面側に透過させることができる。
【００４７】
また、前部ケース体１１のライトガイド５２と対向する領域の内側の領域も透過部３７となっているため、組立作業者が表示シート５４を取付ける際に、本体部１０内に静電容量スイッチシート５３が設けられているか、及び静電容量スイッチシート５３の種類を目視で確認できる。このため、表示シート５４と本体部１０内部の静電容量スイッチシート５３とが対応しているか否かを一見で確認でき、組立上の誤りを防止することができる。また、ライトガイド５２の側方は非透過層部３０で形成されることになるため、外側に光が反射することなく、ＬＥＤからの光をライトガイド５２に集光することが可能となる。
【００４８】
前部ケース体１１の前面側に表示シート５４を設けられるようにしたことで、静電容量スイッチシート５３によるスイッチの機能を変更した場合などに、前部ケース体１１の外面側から表示シート５４を交換することができ、本体部１０を分解する必要がない。また、前部ケース体１１が非透光層部３０と透光層部３１の二層構造であることにより、正面側に露出する前部ケース体１１を立体的に見せることができ、意匠性を向上させることができる。
【００４９】
図３に示すように、後部ケース体１２には、箱状部１２ａの内側に、型式や製造番号等が記載された内側銘板部４５が設けられている。また、後部ケース体１２には、外面に型式や製造番号等が記載された外側銘板部４６が設けられている。カードリーダー１の製造時や輸送時、また、建物の壁面に取付けられるまでは、外側銘板部４６により型式や製造番号等が確認される。カードリーダー１が壁面に取付けられると、後部ケース体１２は壁面内に埋設されてしまうため、外側銘板部４６を視認できない。この場合には、内側銘板部４５により、型式や製造番号等が確認される。このように、後部ケース体１２に内側銘板部４５と外側銘板部４６を設けたことにより、カードリーダー１の設置前後のいずれにおいても、型式や製造番号など必要な情報を確認することができる。
【００５０】
後部ケース体１２の箱状部１２ａの底部には、ＣＰＵ基板５０ｂに設けられるホールＩＣに対応して、マグネット５６が設けられている。ホールＩＣとマグネット５６により、タンパスイッチが構成される。正常な状態では、ホールＩＣがマグネット５６の磁界を検出し、タンパスイッチがオフの状態となっている。不審者等により前部ケース体１１がこじ開けられて、ホールＩＣとマグネット５６との距離が大きくなると、ホールＩＣでマグネット５６の磁界が検出されなくなり、これに伴ってタンパスイッチがオンの状態となる。タンパスイッチがオンとなった場合には、カードリーダー１は所定の警報を発する。
【００５１】
カードリーダー１の設置時においては、前述のように、壁面に埋設固定された後部ケース体１２に対して、前部ケース体１１が仮止めされた上で、固定ネジ１３によりネジ止め固定される。このとき、前部ケース体１１が後部ケース体１２に対して所定の位置に正しく固定され、前部ケース体１１側のホールＩＣと、後部ケース体１２側のマグネット５６との距離が正常な範囲となると、側部表示部２１が所定の表示を行う。これにより、前部ケース体１１が後部ケース体１２に対して正しく固定されたことを視覚的に確認することができる。
【００５２】
図１０には、カードリーダー１を含む入退室管理システムの構成図を示している。この図に示すように、入退室管理システムは、センター装置４０に複数のローカル制御盤４１が接続され、ローカル制御盤４１には、複数のカードリーダー１が接続される。各カードリーダー１には、電気錠４２が接続されている。また、センター装置４０には、防災システムを構成する防災受信盤４５も接続されている。
【００５３】
カードリーダー１は、カード媒体の情報を読み取って、予め登録されている情報と照合し、認証が成立したら、認証成立の信号をローカル制御盤４１に送信する。ローカル制御盤４１は、認証成立の信号を受信したら、入退室の情報をセンター装置４０に送信すると共に、電気錠４２の解錠制御を行う。
【００５４】
センター装置４０は、防災受信盤４５から火災発生の警報情報を受信したら、ローカル制御盤４１を通じてカードリーダー１の発光制御を行う。火災発生時には、側部表示部２１が、火災発生時における所定の発光、例えば赤色での点滅をする。火災発生時における所定の発光は、通常時における側部表示部２１の発光とは異なるものとされる。
【００５５】
カードリーダー１は、カード媒体により電気錠４２の施解錠が可能な警戒解除モードと、電気錠４２を施錠した状態のまま、解錠できないようにした警戒モードとを切り替えることができる。警戒モードは、例えば人の出入りのない夜間や休日などに設定される。警戒解除モードにおいてカードリーダー１は、正面表示部２２を常時発光させている。一方、警戒モードでは、カードリーダー１は正面表示部２２を消灯させる。これにより電力消費を抑えることができる。
【００５６】
静電容量スイッチシート５３によるスイッチ機能は、必要に応じて変更することができる。図１１には、別の形態の表示シート５５の正面図を示している。図３に示された表示シート５４は、警戒設定スイッチシンボル５４ａと警戒解除スイッチシンボル５４ｂ及びカード読取シンボル５４ｃが表示され、静電容量スイッチシート５３は、警戒設定スイッチ５３ａと警戒解除スイッチ５３ｂが機能するように構成されている。これに加えて、静電容量スイッチシート５３のテンキースイッチ５３ｃが機能するように構成することができる。テンキースイッチ５３ｃは、暗証番号の入力等に用いることができる。この場合、図１１に示す表示シート５５が用いられる。
【００５７】
表示シート５５には、警戒設定スイッチシンボル５４ａと警戒解除スイッチシンボル５４ｂ及びテンキーシンボル５５ｃが表示され、その周囲部には、表面透過部５５ｄが形成されている。カードリーダー１の設置時においてテンキースイッチ５３ｃを使用する設定となっている場合には、最初からテンキーシンボル５５ｃを有する表示シート５５が、本体部１０のカード読取部２０に取付けられている。また、カードリーダー１の設置後にテンキースイッチ５３ｃの機能を追加する場合には、カードリーダー１の設定が変更されると共に、テンキーシンボルを有しない表示シート５４からテンキーシンボル５５ｃを有する表示シート５５に取り替えられる。前述のように、表示シート５４は前部ケース体１１の外面側から交換することができるので、取替作業を容易にすることができる。
【００５８】
以上、本発明の実施形態について説明したが、本発明の適用は本実施形態には限られず、その技術的思想の範囲内において様々に適用されうる。
【符号の説明】
【００５９】
１    カードリーダー
１０    本体部
１１    前部ケース体
１２    後部ケース体
１３    固定ネジ
２０    カード読取部
２１    側部表示部
２２    正面表示部
３０    非透光層部
３１    透光層部
３２    引っ掛け部
３３    係合爪部
３４    底面凹部
３７    透過部
４０    収納部
４１    引っ掛け凹部
４２    係合凹部
４３    ネジ保持部
４５    内側銘板部
４６    外側銘板部
５０    回路基板
５１    発光部
５２    ライトガイド
５３    静電容量スイッチシート
５４    表示シート
５６    マグネット
７０    センター装置
７１    ローカル制御盤
７２    電気錠
７５    防災受信盤
【図１】
2018147022.tif 000003
【図２】
2018147022.tif 000004
【図３】
2018147022.tif 000005
【図４】
2018147022.tif 000006
【図５】
2018147022.tif 000007
【図６】
2018147022.tif 000008
【図７】
2018147022.tif 000009
【図８】
2018147022.tif 000010
【図９】
2018147022.tif 000011
【図１０】
2018147022.tif 000012
【図１１】
2018147022.tif 000013